(57)【要約】【課題】本発明は、生産性に優れ、寝返りがし易く、横向きの姿勢をとった場合であっても、体圧分散性に優れる敷寝具用クッション体を提供することを目的とする。【解決手段】本発明に係る敷寝具用クッション体は、発泡樹脂や、天然繊維又は合成繊維の集合体からなる、直方体状のクッション部材と、クッション部材に形成される溝とを有し、上記溝がクッション部材の長手方向に延びる溝であって、クッション部材の幅方向中央から左右両側１０ｃｍ以上外側に位置する領域において、隣接する幅方向内側の溝よりも深い溝を４本以上有するものである。【選択図】        図１
2018126500.tif 000002
【特許請求の範囲】
【請求項１】
発泡樹脂からなる、直方体状のクッション部材と、クッション部材に形成される溝とを有し、
前記溝が前記クッション部材の長手方向に延びる溝であって、クッション部材の幅方向中央から左右両側１０ｃｍ以上外側に位置する領域において、隣接する幅方向内側の溝よりも深い溝を４本以上有することを特徴とする、敷寝具用クッション体。
【請求項２】
天然繊維又は合成繊維の集合体からなる、直方体状のクッション部材と、クッション部材に形成される溝とを有し、
前記溝が前記クッション部材の長手方向に延びる溝であって、クッション部材の幅方向中央から左右両側１０ｃｍ以上外側に位置する領域において、隣接する幅方向内側の溝よりも深い溝を４本以上有することを特徴とする、敷寝具用クッション体。
【請求項３】
前記隣接する幅方向内側の溝よりも深い溝が形成された領域よりも幅方向外側に位置する領域において、隣接する幅方向内側の溝よりも浅い溝を４本以上有することを特徴とする、請求項１又は２に記載の敷寝具用クッション体。
【請求項４】
幅方向に延びる溝を有することを特徴とする、請求項１〜３のいずれか１項に記載の敷寝具用クッション体。
【請求項５】
前記溝が、幅方向に線対称に形成されていることを特徴とする、請求項１〜４のいずれか１項に記載の敷寝具用クッション体。
【発明の詳細な説明】
【技術分野】
【０００１】
本発明は、マットレスや敷布団等の敷寝具を構成する敷寝具用クッション体に関し、特に横向きの姿勢での就寝にも対応した敷寝具用クッション体に関する。
【背景技術】
【０００２】
就寝時の姿勢は仰向けである人の割合が多いが、仰向けの姿勢を続けていると、体圧が掛かっている部分の血液の循環が悪くなるため、入眠時を含め、睡眠中は寝返りをすることが重要となる。
【先行技術文献】
【特許文献】
【０００３】
【特許文献１】特許第３５６４５９８号公報
【発明の概要】
【発明が解決しようとする課題】
【０００４】
しかしながら、脳が覚醒状態に近い時に寝返りが行われるため、中途覚醒を抑制するためにも負担なく寝返りできる敷寝具用クッション体が求められている。
【０００５】
また、従来のマットレスや敷布団は、仰向けの姿勢で就寝することを想定したものが多く、横向きの姿勢をとると身体とマットレスや敷布団との接地面積が小さくなり、体圧分散性が悪く、肩や腰への負担が大きくなってしまうという問題があった。
【０００６】
体圧分散性を改善する方法としては、例えば特許文献１に記載のマットレスのように、突部の大きさを接地する身体の部位に応じて変更することが考えられるが、突部の大きさの異なる複数のクッション部材を組み合わせて一枚のマットレスを製造する必要があり、生産性が悪く、製造コストが高くなるという問題があった。また、横向きの姿勢をとった場合の体圧分散性について改良の余地があった。
【０００７】
そこで、本発明者は、上記の問題点に鑑み、生産性に優れ、寝返りがし易く、横向きの姿勢をとった場合であっても、体圧分散性に優れる敷寝具用クッション体を提供することを課題とする。
【課題を解決するための手段】
【０００８】
本発明に係る敷寝具用クッション体は、発泡樹脂からなる、直方体状のクッション部材と、クッション部材に形成される溝とを有し、上記溝がクッション部材の長手方向に延びる溝であって、クッション部材の幅方向中央から左右両側１０ｃｍ以上外側に位置する領域において、隣接する幅方向内側の溝よりも深い溝を４本以上有するものとする。
【０００９】
本発明に係る敷寝具用クッション体は、天然繊維又は合成繊維の集合体からなる、直方体状のクッション部材と、クッション部材に形成される溝とを有し、上記溝が上記クッション部材の長手方向に延びる溝であって、クッション部材の幅方向中央から左右両側１０ｃｍ以上外側に位置する領域において、隣接する幅方向内側の溝よりも深い溝を４本以上有するものとする。
【００１０】
上記敷寝具用クッション体は、上記隣接する幅方向内側の溝よりも深い溝が形成された領域よりも幅方向外側に位置する領域において、隣接する幅方向内側の溝よりも浅い溝を４本以上有するものとすることができる。
【００１１】
上記敷寝具用クッション体は、幅方向に延びる溝を有するものとすることができる。
【００１２】
上記敷寝具用クッション体は、上記溝が、幅方向に線対称に形成されているものとすることができる。
【発明の効果】
【００１３】
本発明に係る敷寝具用クッション体は、クッション部材の幅方向中央から左右両側１０ｃｍ以上外側に位置する領域において、幅方向内側の溝よりも深い溝を４本以上有することにより、クッション性が高くなるので、寝返りがし易く、横向きの姿勢をとった場合であっても、身体の輪郭に沿うように沈み込ませることができるため、体圧分散性に優れ、肩や腰への負担を減らすことができる。また、クッション部材に溝を形成するだけで製造することができるため、生産性にも優れる。
【図面の簡単な説明】
【００１４】
【図１】本発明の実施例に係る敷寝具用クッション体の幅方向断面図であって、（ａ）は仰臥時の断面図、（ｂ）は横臥時の断面図。
【図２】本発明の実施例に係る敷寝具用クッション体の平面図（図の横方向が長手方向）。
【図３ａ】使用者の体型の分類を示す模式図であって、（１）は背中のラインのカーブが突き出た人の体型を示す模式図、（２）は臀部のラインのカーブが突き出た人の体型を示す模式図、（３）は背中のラインのカーブと臀部のラインのカーブの突き出しがほぼ同じ人の体型を示す模式図。
【図３ｂ】好ましい実施形態に係る敷寝具用クッション体の長手方向断面図であって、（１）は敷寝具用クッション体１ａの断面図、（２）は敷寝具用クッション体１ｂの断面図、（３）は敷寝具用クッション体１ｃの断面図。
【図４】敷寝具用クッション体１ａ〜１ｃにおける領域Ｂ１〜Ｂ４（枝番を含む）の溝の深さ及び溝同士の間隔を示す部分断面図。
【図５】敷寝具用クッション体の溝３及び溝５の組合せにより生じるクッション性の異なる領域を示す平面図。
【図６】実施例１に係る敷寝具用クッション体を仰向けの姿勢で使用した場合の体圧分布図。
【図７】比較例１に係る敷寝具用クッション体を仰向けの姿勢で使用した場合の体圧分布図。
【図８】実施例１に係る敷寝具用クッション体を横向きの姿勢で使用した場合の体圧分布図。
【図９】比較例１に係る敷寝具用クッション体を横向きの姿勢で使用した場合の体圧分布図。
【図１０】仰向けの姿勢で直接板の上に寝転んだ場合の体圧分布図。
【図１１】横向きの姿勢で直接板の上に寝転んだ場合の体圧分布図。
【発明を実施するための形態】
【００１５】
次に本発明の実施形態を添付の図面に基づいて詳細に説明する。
【００１６】
図１は、本実施形態に係る敷寝具用クッション体１の幅方向断面図であって、（ａ）は仰臥時の断面図、（ｂ）は横臥時の断面図である。また、図２は、使用時の敷寝具用クッション体１を上方から見た平面図である。
【００１７】
本実施形態に係る敷寝具用クッション体１は、図１，２に示すように、発泡樹脂からなる直方体状のクッション部材２と、クッション部材２に形成される溝とを有し、上記溝が
クッション部材２の長手方向に延びる溝であって、クッション部材２の幅方向中央６から左右両側１０ｃｍ以上外側に位置する領域Ａにおいて、隣接する幅方向内側の溝よりも深い溝３を４本以上有するものである。隣接する幅方向内側の溝よりも深い溝３とは、図１においては、溝３の内側の溝より溝３が深く、溝３よりも溝３’が深いことを意味する。従って、内側の溝よりも深い溝３が左右に２本ずつ、合計４本配されている。
【００１８】
上記クッション部材２の材料としては、発泡樹脂であれば特に限定されないが、例えば、ポリウレタン樹脂、ポリエチレン樹脂などが挙げられる。
【００１９】
クッション部材２は、単層構造であってもよく、硬度や材料の異なる部材を２種以上積層した構造であってもよい。
【００２０】
クッション部材２の硬度は、特に限定されないが、耐久性の観点から、６０〜１７０Ｎであることが好ましく、８０〜１６０Ｎであることがより好ましい。ここで、クッション部材２の硬度とは、ＪＩＳ  Ｋ６４００−２に準拠し、２５％定圧縮時の硬度を測定した値とする。
【００２１】
クッション部材２の厚さは、特に限定されず、形成する溝の深さに応じて適宜選択することができるが、例えば４〜２０ｃｍであることが好ましく、６〜１６ｃｍであることがより好ましく、８〜１１ｃｍであることがさらに好ましい。４ｃｍ以上であることにより、クッション性と耐久性に優れ、２０ｃｍ以下であることにより、重くなりすぎず扱いやすい。
【００２２】
クッション部材２の幅方向及び長手方向の長さは、シングルサイズ、セミダブルサイズなどのサイズに合わせることができる。
【００２３】
上記隣接する幅方向内側の溝よりも深い溝３は、クッション部材２の幅方向中央６から左右両側１０ｃｍ以上外側に位置する領域Ａにおいて形成されていれば、特に限定されないが、幅方向中央６から左右両側１０〜４０ｃｍ外側に位置する領域において形成されていることが好ましく、幅方向中央６から左右両側１２〜２０ｃｍ外側に位置する領域において形成されていることがより好ましい。図１（ａ）に示すように、幅方向中央に仰向けに寝転んだ場合には、身体はほとんど領域Ａに接地しないため、溝３が形成されたことにより仰向け時の寝心地に影響を与えることはない。また、溝３が形成された領域においては、幅方向外側ほどクッション部材２が徐々に柔らかくなり、身体の輪郭に沿って沈み込むことができるため寝返りがし易くなり、クッション性に急な変化がないため寝心地への影響を与えることもない。
【００２４】
上記溝３は、領域Ａにおいて左右両側合わせて４本以上形成されていれば特に限定されない。
【００２５】
上記溝３の深さは、特に限定されないが、１〜７ｃｍであることが好ましく、２〜５ｃｍであることがより好ましい。
【００２６】
上記溝３の幅は、特に限定されないが、２〜１０ｍｍであることが好ましく、４〜７ｍｍであることがより好ましい。
【００２７】
上記溝３同士の間隔は、クッション部材２の硬度や、接触する身体の部位に応じて、適宜選択することができる。
【００２８】
上記溝３が形成された領域よりも幅方向外側に位置する領域においては、図１に示すよ
うに隣接する幅方向内側の溝よりも浅い溝４を４本以上有するものであることが好ましい。隣接する幅方向内側の溝よりも浅い溝４とは、図１においては、溝４の内側の溝よりも溝４が浅く、溝４よりも溝４’が浅く、溝４’よりも溝４’’が浅いことを意味する。従って、内側の溝よりも浅い溝４が左右に３本ずつ、合計６本配されている。
【００２９】
すなわち、クッション部材２の幅方向断面における左右両側の領域Ａにおいて、溝３、溝４、及び溝３と溝４との間に形成された溝の各溝底が略円弧上に位置するように形成されていることが好ましい。クッション部材２の幅方向断面において各溝底が、略円弧上に位置するように形成されることで、図１（ｂ）に示すように、本実施形態に係る敷寝具用クッション体１の使用者が、横向きの姿勢をとった際に、身体の輪郭に合わせてクッション部材２が沈み込むことが可能となり、横向き姿勢での体圧分散性に優れる。また、溝４が形成された領域においては幅方向外側ほどクッション部材２が徐々に硬くなるため、使用者が横向きの姿勢からさらに幅方向外側に体重移動した場合に、身体を幅方向内側に支持することが可能となり、敷寝具用クッション体１から落下するのを防止することができる。
【００３０】
上記溝４は、上記溝３が形成された領域よりも幅方向外側に位置する領域に形成されていれば特に限定されないが、クッション部材２の幅方向中央６から左右両側２０〜７０ｃｍ外側に位置する領域であることが好ましく、幅方向中央６から左右両側２５〜５０ｃｍ外側に位置する領域であることがより好ましい。
【００３１】
上記溝４の深さは、特に限定されないが、１〜７ｃｍであることが好ましく、１〜５ｃｍであることがより好ましい。
【００３２】
上記溝４の幅は、特に限定されないが、２〜１０ｍｍであることが好ましく、４〜７ｍｍであることがより好ましい。
【００３３】
上記溝４同士の間隔は、クッション部材２の硬度や、接触する身体の部位に応じて、適宜選択することができる。
【００３４】
図３ｂは好ましい一実施形態に係る敷寝具用クッション体１の長手方向断面図である。人は寝転んだ時の接地面の形状（仰臥状態であれば背面部の形状、横臥状態であれば側面部の形状）が人によって異なる。仰臥状態で寝転んだ時の理想的な姿勢は、真っ直ぐに立った時と同じ姿勢であると言われており、真っ直ぐに立った姿勢で測定した背面形状の集積データーから、背面形状の特徴は大きく分けて３つに分類できる。具体的には、図３ａに示すように、耳７、肩８、大転子９、踝１０がそれぞれ略同一鉛直面１１上に位置する姿勢を、真っ直ぐに立った姿勢とし、背中においてこの鉛直面１１から最も突き出た部分と、臀部においてこの鉛直面１１から最も突き出た部分とを結んだ線１２（以下、背中と臀部を結んだ線という）とこの鉛直面１１がなす角度で分類することができる。
【００３５】
図３ｂ（１）に示す敷寝具用クッション体１ａは、図３ａ（１）に示すように、背中と臀部を結んだ線１２が身体の背面側に傾斜した、背中のラインのカーブが突き出た人を想定して設計したものである。図３ｂ（２）に示す敷寝具用クッション体１ｂは、図３ａ（２）に示すように、背中と臀部を結んだ線１２が身体の正面側に傾斜した、臀部のラインのカーブが突き出た人を想定して設計したものである。図３ｂ（３）に示す敷寝具用クッション体１ｃは、図３ａ（３）に示すように、背中と臀部を結んだ線１２が上記鉛直面１１と略平行であり、背中のラインのカーブと臀部のラインのカーブの突き出しがほぼ同じ人を想定して設計したものである。
【００３６】
図３ｂに示すように、好ましい一実施形態に係る敷寝具用クッション体１は、幅方向に
延びる溝５を有するものとすることができる。この際、クッション部材２は長手方向において、使用者の身体のどの部分が接地するかによって、複数の領域に分けて設計することができ、本明細書においては、Ｂ１は頭部や足部が接地する領域、Ｂ２は肩甲骨辺りや腓腹部が接地する領域、Ｂ３は腰部が接地する領域、Ｂ４は臀部が接地する領域として分割した。図３ｂに示す敷寝具用クッション体１ａ〜１ｃの各領域Ｂ１〜４の溝の深さや溝の間隔は、例えば、図４（ａ）〜（ｆ）に示すものとすることができる。
【００３７】
図３ａ（１）に示す背中のラインのカーブが突き出た人は、仰向けの姿勢で寝転んだときに、肩甲骨辺りの体圧分散性が悪くなる。そこで、このような使用者を想定し、例えば、図３ｂ（１）に示すような敷寝具用クッション体１ａを設計することができ、図３ｂ（３）に示す背中のラインのカーブと臀部のラインのカーブの突き出しがほぼ同じ人用に設計された敷寝具用クッション体１ｃと比較し、領域Ｂ２に設けられた溝５の深さを深くすることにより、領域Ｂ２のクッション性を高め、肩甲骨辺りの体圧分散性を向上させることができる。
【００３８】
また、図３ａ（２）に示す臀部のラインのカーブが突き出た人は、仰向けの姿勢で寝転んだときに、臀部辺りの体圧分散性が悪くなる。そこで、このような使用者を想定し、例えば、図３ｂ（２）に示すような敷寝具用クッション体１ｂを設計することができ、図３ｂ（３）に示す背中のラインのカーブと臀部のラインのカーブの突き出しがほぼ同じ人用に設計された敷寝具用クッション体１ｃと比較し、領域Ｂ４に設けられた溝５の深さを深くすることにより、領域Ｂ４のクッション性を高め、臀部辺りの体圧分散性を向上させることができる。
【００３９】
このように長手方向に延びる溝に加えて幅方向に延びる溝５を形成することにより、図５に示すように、各溝の深さや溝を形成する間隔の組合せが異なる、すなわち、クッション性（反発力）の異なる領域を一枚のクッション部材内に形成することができる。具体的には、例えば、幅方向中央から左右両側１０ｃｍ未満の領域と領域Ｂ２が交差する領域Ｃ１、幅方向中央から左右両側１０ｃｍ未満の領域と領域Ｂ３が交差する領域Ｃ２、幅方向中央から左右両側１０ｃｍ未満の領域と領域Ｂ４が交差する領域Ｃ３、溝３，４が形成された領域Ｄと領域Ｂ２が交差する領域Ｃ４、領域Ｄと領域Ｂ３が交差する領域Ｃ５、領域Ｄと領域Ｂ４が交差する領域Ｃ６が挙げられる。
【００４０】
上記溝３〜５は、幅方向に線対称に形成されていることが好ましく、またクッション部材２の同一面に形成されていることが好ましい。
【００４１】
本願発明の敷寝具用クッション体１は、従来から用いられていた１枚のクッション部材２に溝を形成するだけで製造することが可能であり、複数のクッション部材を組み合わせて製造していた従来の敷寝具用クッション体に比べて、生産性が高く、製造コストを安く抑えることができる。
【００４２】
上記実施形態においては、クッション部材２が発泡樹脂からなるものについて説明したが、これに限定されず、天然繊維や合成繊維などを圧縮成型してなる、天然繊維や合成繊維の集合体からなるクッション部材にも適用可能である。
【００４３】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【実施例】
【００４４】
以下、本発明の実施例を示すが、本発明はこれらの実施例に限定されるものではない。［実施例、比較例］
硬度（２５％定圧縮時）：１６６Ｎ、厚さ：９０ｍｍ、長手方向：２０００ｍｍ、幅方向：１０００ｍｍのウレタン樹脂製のクッション部材２に、図１，２に示すように溝３〜５を形成して実施例１とした。具体的には、クッション部材２の長手方向に延びる溝の深さを、溝３と隣接する幅方向内側の溝：３０ｍｍ、溝３：４０ｍｍ、溝３’：５０ｍｍ、溝４と隣接する幅方向内側の溝：５０ｍｍ、溝４：４０ｍｍ、溝４’：３０ｍｍ、溝４’’：１０ｍｍとし、各溝の間隔は４０ｍｍとした。またクッション部材２の幅方向に延びる溝５を、図４（ａ），（ｃ）〜（ｅ）に示す形態、間隔、及び深さで形成した。得られた敷寝具用クッション体について以下の方法に従い体圧分散性を測定した。
【００４５】
・体圧分散性：クッション部材の上に、体圧分散測定システムとして住友理工株式会社製「ＳＲ  Ｓｏｆｔ  Ｖｉｓｉｏｎ（登録商標）」を敷き、身長：１７７ｃｍ、体重：６６ｋｇの背中のラインのカーブが突き出た人を被験者として測定した。図６〜１１の体圧分散図の右横に示すように、色調の濃い領域ほど体圧が高いこと表す。また、上記体圧分散測定システムには１６００個の体圧感知センサーが設けられており、そのうち体圧を感知したセンサーの数（以下、接地ポイントという）が多いほど、接地面積が大きく、体圧分散性に優れることを示す。
【００４６】
比較例１として、実施例１と同じクッション部材２の長手方向に深さ３６．６ｍｍの溝を等間隔（４１ｍｍ）に形成し、幅方向に深さ３６．６ｍｍの溝を等間隔（領域Ｂ１に相当する領域には間隔４１ｍｍ、領域Ｂ２，３，４に相当する領域には間隔５６．９ｍｍ）に形成し、各溝の断面形状は実施例と異なり、クッション性を高めるために湾曲形状の溝である、敷寝具用クッション体（特許文献１に記載のマットレスのように、突部の形状は、頂面が平坦であり、突部と突部の間に湾曲状に溝を設けることにより、突部の下部がなだからにくびれているもの）を使用し、また比較例２としては板の上に直接寝た際の体圧分散性を測定した。
【００４７】
測定結果は表１に示す通りであり、仰臥時の実施例１の接地ポイントは比較例１と比べて９ポイントの差しかなく同等の結果が得られ、横臥時の実施例１の接地ポイントは、比較例１よりも２２ポイントも高く、体圧分散性に優れていた。なお、比較例２の接地ポイントは、仰臥時と横臥時のいずれも実施例１及び比較例１と比較して低く、体圧分散性は大きく劣っていた。
【００４８】
【表１】
2018126500.tif 000003
【００４９】
また、実施例１は、幅方向中央に仰向けの姿勢で寝転んだ場合、図６，７の体圧分散図の比較からも比較例１と同等の結果が得られ、仰臥時の体圧分散性に優れていることがわかる。また、溝３，４が形成された領域Ｄに横向きの姿勢で寝転んだ場合、実施例１は図８の体圧分散図より、体圧が６３ｍｍＨｇ以上である領域の面積が少なく、図９に示す比較例１よりも横臥時の体圧分散性に優れていることがわかる。なお、図１０，１１の体圧
分散図より、板の上に直接寝転んだ際は仰臥時と横臥時のいずれも体圧が６３ｍｍＨｇ以上である領域の面積が大きく、比較例２は実施例１及び比較例１よりも体圧分散性が大きく劣っていた。
【００５０】
また、クッション部材２の幅方向に延びる溝５を、図４（ａ），（ｂ），（ｄ），（ｆ）に示す形態、間隔、及び深さで形成した以外は、実施例１と同様に作製したものを実施例２とし、クッション部材２の幅方向に延びる溝５を、図４（ａ），（ｂ），（ｄ），（ｅ）に示す形態、間隔、及び深さで形成した以外は、実施例１と同様に作製したものを実施例３とした。
【００５１】
得られた実施例１〜３につき、領域Ｃ１〜Ｃ６の硬度を測定し、結果を表２に示す。測定方法は、ＪＩＳ  Ｋ６４００−２に準拠し、２５％定圧縮時の硬度を測定した。
【００５２】
【表２】
2018126500.tif 000004
【００５３】
表２に示すように、溝の深さや溝同士の間隔を適宜組み合わせることにより、クッション部材２の硬度を部分的に変更することが可能であることがわかった。
【００５４】
実施例１に係る領域Ｂ２−２と幅方向中央６から左右両側１０ｃｍ未満の領域とが交差する領域Ｃ１’は、実施例２，３と比較して硬度が低くクッション性が高くなり、肩甲骨辺りの体圧分散性に優れる。また、領域Ｂ２−２と領域Ｄが交差する領域Ｃ４’は、さらにクッション性が高くなり、横向きの姿勢での体圧分散性にも優れる。
【００５５】
実施例２に係る領域Ｂ４−２と幅方向中央６から左右両側１０ｃｍ未満の領域とが交差する領域Ｃ３’は、実施例１，３と比較して硬度が低くクッション性が高くなり、臀部辺りの体圧分散性に優れる。また、領域Ｂ４−２と領域Ｄが交差する領域Ｃ６’は、さらにクッション性が高くなり、横向きの姿勢での体圧分散性にも優れる。
【符号の説明】
【００５６】
１・・・・・敷寝具用クッション体
２・・・・・クッション部材
３・・・・・長手方向に延びる溝であって、隣接する幅方向内側の溝よりも深い溝
４・・・・・長手方向に延びる溝であって、隣接する幅方向内側の溝よりも浅い溝
５・・・・・幅方向に延びる溝
６・・・・・幅方向中央
７・・・・・耳
８・・・・・肩
９・・・・・大転子
１０・・・・踝
１１・・・・耳、肩、大転子、踝がそれぞれ略同一平面上に位置する鉛直面
１２・・・・背中において鉛直面１１から最も突き出た部分と、臀部において鉛直面１１から最も突き出た部分とを結んだ線
Ａ・・・・・クッション部材の幅方向中央から左右両側１０ｃｍ以上外側に位置する領域Ｂ１・・・・クッション部材の長手方向において、頭部や足部が接地する領域
Ｂ２・・・・クッション部材の長手方向において、肩甲骨辺りや腓腹部が接地する領域
Ｂ３・・・・クッション部材の長手方向において、腰部が接地する領域
Ｂ４・・・・クッション部材の長手方向において、臀部が接地する領域
Ｃ１・・・・幅方向中央から左右両側１０ｃｍ未満の領域と領域Ｂ２が交差する領域
Ｃ２・・・・幅方向中央から左右両側１０ｃｍ未満の領域と領域Ｂ３が交差する領域
Ｃ３・・・・幅方向中央から左右両側１０ｃｍ未満の領域と領域Ｂ４が交差する領域
Ｃ４・・・・領域Ｄと領域Ｂ２が交差する領域
Ｃ５・・・・領域Ｄと領域Ｂ３が交差する領域
Ｃ６・・・・領域Ｄと領域Ｂ４が交差する領域
Ｄ・・・・・溝３，４が形成された領域
【図１】
2018126500.tif 000005
【図２】
2018126500.tif 000006
【図３ａ】
2018126500.tif 000007
【図３ｂ】
2018126500.tif 000008
【図４】
2018126500.tif 000009
【図５】
2018126500.tif 000010
【図６】
2018126500.tif 000011
【図７】
2018126500.tif 000012
【図８】
2018126500.tif 000013
【図９】
2018126500.tif 000014
【図１０】
2018126500.tif 000015
【図１１】
2018126500.tif 000016